(57)【要約】【課題】既存の行燈の構成をそのまま用いて、ねじ込み形の口金に直接装着できないＬＥＤ照明を装着した行燈の台を提供する。【解決手段】ＬＥＤ部と２つの端子部とを備えたねじ込み形の口金に装着できない形状のＬＥＤ照明を、前記ＬＥＤ照明の２つの端子部を固定可能な２つの端子金具と、当該２つの端子金具とそれぞれコードを通じて接続される２つの電極部とを備えたねじ込み形の口金に装着できる形状の変換ソケットを介して、口金がねじ込み形であって行燈の笠を支えるためのフランジ部を備える台に装着させることにより構成する。【選択図】図５
0003169926.tif 000002
【実用新案登録請求の範囲】
【請求項１】
ＬＥＤ部と２つの端子部とを備えたねじ込み形の口金に装着できない形状のＬＥＤ照明を、前記ＬＥＤ照明の２つの端子部を固定可能な２つの端子金具と、当該２つの端子金具とそれぞれコードを通じて接続される２つの電極部とを備えたねじ込み形の口金に装着できる形状の変換ソケットを介して、口金がねじ込み形のソケットと行燈の笠を支えるためのフランジ部とを備える台に装着させることにより構成した行燈の台。
【請求項２】
ＬＥＤ部と２つの端子部とを備えたねじ込み形の口金に装着できない形状のＬＥＤ照明を、口金がねじ込み形のソケットと行燈の笠を支えるためのフランジ部とを備える台に装着させることを可能とする前記ＬＥＤ照明の２つの端子部を固定可能な２つの端子金具と、当該２つの端子金具とそれぞれコードを通じて接続される２つの電極部とを備えたねじ込み形の口金に装着できる形状の変換ソケット。
【考案の詳細な説明】
【技術分野】
【０００１】
行燈の台にＬＥＤ照明を装着する技術に関する。
【背景技術】
【０００２】
現在、和風照明の一つとして、電球を使用した行燈がある。
【０００３】
例えば、筒型の行燈として、図１に示すような行燈がある。このような行燈では、行燈の笠を、電球用ソケットを含む台座に被せて固定する仕組みとなっている。より具体的には、笠の中のリング部を、電球用ソケットのフランジ部に被せることで行燈の笠を固定している。電源としては、家庭用交流電源１００Ｖが用いられ、電球用ソケットとしては、口金がねじ込み形で、例えば６０Ｗ用電球のソケットが用いられている。
【０００４】
ところで、照明としての演出効果を高めるためにモーションセンサーを用いることがある。モーションセンサーを使うと、電球の明かりを徐々に明るくしたり、徐々に暗くしたりすることができるようになる。また、近年、電球に代わる照明具としてＬＥＤ照明が注目されている。ＬＥＤ照明は、電球に比べ省電力・長寿命という特徴がある。
【０００５】
そのため、モーションセンサーとＬＥＤ照明を組み合わせた行燈を提供できれば商品価値が高まることとなる。
【０００６】
しかしながら、従来の１００Ｖ交流電源用のモーションセンサーは照明に付属させるにはサイズが大きい点が問題となる。また、口金がねじ込み形状のソケットに使えるＬＥＤ照明はコストが高いという問題もある。
【０００７】
従って、既存の行燈の構成を変えることなく、モーションセンサーを小型化（例えば１２Ｖ仕様とする）し、また、ねじ込み形の口金に直接装着はできないがコストが安いＬＥＤ照明を用いることができる方法が求められている。
【０００８】
特許文献１には、モーションセンサーとＬＥＤ照明を用いた技術が記載されている。より具体的には、「人体を感知しないときでもＬＥＤが所定光量で発光（待機発光）しており、人体を感知するとＬＥＤの発光量が徐々に増加して照明が明るくなり、人体を感知しなくなるとＬＥＤの発光量が減少して待機発光時の光量（明るさ）に戻るようにした方法」や「ＬＥＤ光源設置箇所の周囲温度が低いときはＬＥＤから暖色系の色調の光が発光され、高いときは寒色系の色調の光が発光され、暖色系、寒色系の光の色調を調節可能とした方法」が開示されている。
【先行技術文献】
【特許文献】
【０００９】
【特許文献１】特開２０１０−１７６８９６号公報
【考案の概要】
【考案が解決しようとする課題】
【００１０】
しかしながら、特許文献１は、ＬＥＤ照明を用いた際の発光量や光の色調を調整する技術であるが、既存の行燈の構成をそのまま用いて、モーションセンサーとＬＥＤ照明を組み合わせて利用することについては何ら記載されていない。
【００１１】
つまり、既存の行燈の構成を変えることなく、モーションセンサーを小型化した際に、ねじ込み形の口金に直接装着できないＬＥＤ照明を装着可能とする方法については何ら開示されていない。
【００１２】
そこで、本考案は、上記課題を解決するものであり、既存の行燈の構成をそのまま用いて、ねじ込み形の口金に直接装着できないＬＥＤ照明を装着した行燈の台を提供することを目的とする。
【課題を解決するための手段】
【００１３】
本考案は、ＬＥＤ部と２つの端子部とを備えたねじ込み形の口金に装着できない形状のＬＥＤ照明を、前記ＬＥＤ照明の２つの端子部を固定可能な２つの端子金具と、当該２つの端子金具とそれぞれコードを通じて接続される２つの電極部とを備えたねじ込み形の口金に装着できる形状の変換ソケットを介して、口金がねじ込み形であって行燈の笠を支えるためのフランジ部を備える台に装着させることにより構成した行燈の台である。
【考案の効果】
【００１４】
本考案によれば、既存の行燈の構成をそのまま用いて、ねじ込み形の口金に直接装着できないＬＥＤ照明を装着した行燈の台を提供することができる。
【図面の簡単な説明】
【００１５】
【図１】筒型の行燈の一例を示す図である。
【図２】コンバータの一例を示す図である。
【図３】ＬＥＤ照明の一例を示す図である。
【図４】変換ソケットの一例を示す図である。
【図５】ＬＥＤ照明と変換ソケットと台との利用例を示す図である。
【考案を実施するための形態】
【００１６】
以下、図面を用いて説明をする。
【００１７】
図１は、筒型の行燈の一例を示す図である。この行燈は、笠１と台２とから構成される。
【００１８】
笠１は、筒型の形状をしており内部に３本の支持部１２とリング部１１とを含んでいる。台２は、電球用ソケット２２の口が上を向く状態で置かれる。また、電球用ソケット２２は、フランジ部２３を備える。電球用ソケット２２の口金部２１は、ねじ込み形のものである。この行燈は、笠のリング部１１を台のフランジ部２３に被せる状態で使用されることとなる。
【００１９】
図２は、家庭用電源である１００Ｖ交流電源を１２Ｖの直流電源に変換するコンバータと１２Ｖ仕様のモーションセンサーとの接続例を示す図である。
【００２０】
整流器ＡＣ／ＤＣコンバータ４は、１００Ｖ交流電源を１２Ｖ直流電源に変換する装置である。
【００２１】
１２Ｖ仕様モーションセンサー３は、１２Ｖ直流電源の供給を受けて動作するモーションセンサーである。なお、モーションセンサーとは、平面や空間における「動き」を把握するセンサーである。また、モーションセンサーは、人の動きを検知することを目的とする場合、人感センサーと称する。モーションセンサーには、１００Ｖ仕様のものも存在するが、本実施の形態においては、モーションセンサーのサイズを小さくすべく、１２Ｖ仕様のモーションセンサーを用いている。
【００２２】
本実施の形態では、１００Ｖ交流電源に整流器ＡＣ／ＤＣコンバータ４が接続され、１００Ｖ交流電源が１２Ｖ直流電源に変換される。そして、１２Ｖ直流電源が１２Ｖ仕様モーションセンサー３に接続され、更に、行燈のコンセントと接続される。
【００２３】
従って、行燈のコンセントには、１２Ｖ直流電源が供給されることとなる。
【００２４】
図３は、ＬＥＤ照明の一例を示す図である。
【００２５】
ＬＥＤ照明３０は、直流電源で発光するＬＥＤ部３１、直流電源の供給を受ける端子部３２（＋電極）、端子部３３（−電極）を備える。本実施の形態において、ＬＥＤ部は、１２Ｖの直流電源の供給を受けることにより発光可能なものである。
【００２６】
このような形状のＬＥＤ照明は、例えば、車用の照明として提供されているものがあり、ねじ込み形の口金に装着可能な家庭用電球の代替製品として販売されているＬＥＤ照明よりコストが低い。
【００２７】
しかしながら、この形状の照明は、口金がねじ込み形である電球用ソケットにそのまま装着することができないため、本発明の実施の形態において、このようなＬＥＤ照明をねじ込み形の口金に装着できる変換ソケットを用意する。
【００２８】
図４は、変換ソケットの一例を示す図である。
【００２９】
変換ソケット４０は、端子金具４１（＋or−電極）、端子金具４２（−or＋電極）、コード４３（−or＋電極）、コード４４（＋or−電極）、電極部４５（−or＋電極）、電極部４６（＋or−電極）を備える。電極は、一方がプラス極で、他方がマイナス極となる。
【００３０】
端子金具４１と端子金具４２は、通電する金属で構成され、ＬＥＤ照明３０の端子部３２と端子部３３とを挟み込んで固定する形状をしている。つまりこの口金により、まずはＬＥＤ照明３０を装着可能とする。
【００３１】
コード４３とコード４４は、送電用のケーブルであり、例えば、銅線を被膜で保護したものである。
【００３２】
電極部４５と電極部４６は、通電する金属で構成され、それぞれねじ込み形の口金に装着した際に電源の供給を受けることができる形状をしている。
【００３３】
なお、本実施の形態では、端子金具４１と電極部４５とは、コード４３を介して通電可能に接続され、端子金具４２と電極部４６とは、コード４４を介して通電可能に接続されている。
【００３４】
図５は、ＬＥＤ照明と変換ソケットと台との利用例を示す図である。
【００３５】
まず、ＬＥＤ照明３０を変換ソケット４０に差し込むと、ＬＥＤ照明の端子部３２と端子部３３が、変換ソケット４０の口金である端子金具４１と端子金具４２とに挟まり固定される。
【００３６】
変換ソケット４０の端子金具４１と端子金具４２は、それぞれ電極部４５と電極部４６にコードを介して接続されている。
【００３７】
そして、変換ソケット４０を、行燈の台２のねじ込み形の電球用ソケットに回転して固定する。固定された状態で、変換ソケット４０の電極部４５と電極部４６は、１２Ｖの直流電源から電気の供給を受けることができるようになる。
【００３８】
以上、説明した通り、本考案によれば、既存の行燈の構成をそのまま用いて、口金がねじ込み形である電球用ソケットにそのまま装着することができない形状のＬＥＤ照明を装着可能となる。
【符号の説明】
【００３９】
１    笠
２    台
１１  リング部
１２  支持部
２１  口金部
２２  電球用ソケット
２３  フランジ部
３    １２Ｖ仕様モーションセンサー
４    整流器ＡＣ／ＤＣコンバータ
３０  ＬＥＤ照明３０
３１  ＬＥＤ部
３２  端子部（＋電極）
３３  端子部（−電極）
４０  変換ソケット
４１  端子金具（＋or−電極）
４２  端子金具（−or＋電極）
４３  コード（−or＋電極）
４４  コード（＋or−電極）
４５  電極部（−or＋電極）
４６  電極部（＋or−電極）
【図１】
0003169926.tif 000003
【図２】
0003169926.tif 000004
【図３】
0003169926.tif 000005
【図４】
0003169926.tif 000006
【図５】
0003169926.tif 000007